(57)【要約】      （修正有）【課題】レール部材を引き出して予定位置まで移動させた時に、レール部材が離脱することのないスライドレールキットを提供する。【解決手段】スライドレールキット１０は、少なくとも一つのブラケットアセンブリによってラックに取り付けられる。ブラケットアセンブリは、側板、側板から屈曲する端板２４、および、側板に連結され、係止部３０を具えるアーム部材２６を有する。スライドレールキット１０は、第一レール４４、第二レール４６、および、嵌着部材４８を含む。第一レール４４はブラケットアセンブリの側板に連結され、第二レール４６は、第一レール４４に縦方向に移動するように連結される。嵌着部材４８は、第二レール４６に連結され、接触部６６を有する。第二レール４６は、第一レール４４に対して方向Ｄに引き出されて予定位置まで移動する時、第二レール４６は予定位置に係止される。【選択図】図５Ｂ
0003193841.tif 000002
【実用新案登録請求の範囲】
【請求項１】
少なくとも一つのブラケットアセンブリによってラックに取り付けられスライドレールキットであって、
前記ラックは穴を有し、
前記ブラケットアセンブリは、側板、前記側板から屈曲する端板、前記側板に連結されるアーム部材、および、前記端板に連結され、前記ラックの前記穴に取り付けるための取付部材を含み、
前記アーム部材は係止部を有しており、
前記ブラケットアセンブリの前記側板に連結される第一レールと、前記第一レールに縦方向に移動するように連結される第二レールと、前記第二レールに連結され、接触部を有する嵌着部材を備え、
前記第二レールは、前記第一レールに対して開く方向に引き出されて予定位置まで移動する時、前記アーム部材の前記係止部が前記嵌着部材の前記接触部に係止されており、
前記第二レールは前記予定位置に係止されていることを特徴とするスライドレールキット。
【請求項２】
前記ブラケットアセンブリの前記アーム部材は、第一アーム部、および、前記第一アーム部から屈曲する第二アーム部を含み、
前記第一アーム部は前記係止部を含み、
前記第二アーム部は、前記ラックの一定距離を超えて、前記ラックに向き合う状態となることを特徴とする請求項１に記載のスライドレールキット。
【請求項３】
前記ブラケットアセンブリの前記側板は基体をさらに有し、
前記ブラケットアセンブリは連結部材をさらに含み、
前記連結部材は、前記アーム部材を前記側板の前記基体に軸着することを特徴とする請求項１に記載のスライドレールキット。
【請求項４】
前記ブラケットアセンブリの前記係止部の位置は前記端板を一定距離超過することを特徴とする請求項１に記載のスライドレールキット。
【請求項５】
前記第一レールは端部を有し、
前記ブラケットアセンブリの前記側板は前記第一レールの前記端部に連結されていることを特徴とする請求項１に記載のスライドレールキット。
【請求項６】
前記嵌着部材は前記第二レールに連結する基板、および、前記基板から屈曲する上昇部を有し、前記接触部は前記上昇部に位置し、
前記第二レールが前記予定位置に係止された時、前記上昇部が押圧されると、前記嵌着部材の前記接触部は、前記アーム部材の前記係止部に係止されている状態が解除されることを特徴とする請求項１に記載のスライドレールキット。
【請求項７】
前記接触部は斜面を有し、前記斜面は前記アーム部材に対応し、
前記第二レールが前記第一レールに対して開く方向の逆方向に移動する時、前記斜面は前記アーム部材に接触し、前記嵌着部材の前記上昇部は圧縮され、前記嵌着部材の前記接触部は前記アーム部材を越えることを特徴とする請求項６に記載のスライドレールキット。
【請求項８】
前記第二レールは開孔、および、前記開孔に隣り合う壁体をさらに有し、前記嵌着部材は、上昇部に連結し前記第二レール方向に屈曲する支持部をさらに有し、前記支持部は制御翼を有し、前記制御翼は前記開孔を通過し前記壁体に係止されることを特徴とする請求項６に記載のスライドレールキット。
【請求項９】
前記アーム部材は貫通孔をさらに有し、
前記係止部は前記貫通孔に隣り合う壁面であり、
前記嵌着部材の前記接触部は突出体であり、
前記第二レールが前記第一レールに対して開く方向に引き出されて前記予定位置まで移動した時、前記嵌着部材の前記突出体は前記アーム部材の前記貫通孔に位置し、前記アーム部材の壁面によって係止されており、
前記第二レールは前記予定位置に係止されることを特徴とする請求項１に記載のスライドレールキット。
【請求項１０】
少なくとも一つのブラケットアセンブリによってラックに取り付けられているスライドレールキットであって、
前記ラックは穴を有し、
前記ブラケットアセンブリは、側板、前記側板から屈曲する端板、前記端板に連結され、前記ラックの穴に取り付けるための取付部材を含み、
前記ブラケットアセンブリの前記側板に連結される第一レール、前記第一レールに縦方向に移動するように連結される第二レール、前記第一レールの端部に隣り合う箇所に可動するように連結され、係止部を有するアーム部材、および、前記第二レールに連結され、接触部を有する嵌着部材を備え、
前記第二レールは、前記第一レールに対して開く方向に引き出されて予定位置まで移動する時、アーム部材の前記係止部が前記嵌着部材の前記接触部に係止されており、
前記第二レールは予定位置に係止されることを特徴とするスライドレールキット。
【請求項１１】
前記第一レールは基体をさらに有し、アーム部材は、連結部材によって前記第一レールの前記基体に軸着されることを特徴とする請求項１０に記載のスライドレールキット。
【請求項１２】
スライドレールキットであって、
側板、および、前記側板に連結され、係止部を有するアーム部材を有し、ブラケットアセンブリに適用されており、
前記ブラケットアセンブリの前記側板に連結される第一レール、前記第一レールに縦方向に移動するように連結される第二レール、および、前記第二レールに連結され、接触部を有する嵌着部材を備え、
前記第二レールは、前記第一レールに対して開く方向に引き出されて予定位置まで移動する時、前記アーム部材の前記係止部が前記嵌着部材の前記接触部に係止されており、
前記第二レールは前記予定位置に係止されることを特徴とするスライドレールキット。
【請求項１３】
前記ブラケットアセンブリの前記側板は基体をさらに有し、
前記ブラケットアセンブリは連結部材をさらに有し、
前記連結部材は前記アーム部材を前記側板の前記基体に軸着することを特徴とする請求項１２に記載のスライドレールキット。
【請求項１４】
前記ブラケットアセンブリは前記側板にほぼ垂直に連結される端板をさらに含み、
前記ブラケットアセンブリの前記係止部の位置は前記端板の一定距離を超えることを特徴とする請求項１２に記載のスライドレールキット。
【請求項１５】
前記第一レールは端部を有し、
ブラケットアセンブリの前記側板は前記第一レールの前記端部に連結されていることを特徴とする請求項１２に記載のスライドレールキット。
【請求項１６】
前記嵌着部材は前記第二レールに連結される基板、および、前記基板から屈曲する上昇部をさらに有し、
前記接触部は前記上昇部に位置し、
前記第二レールが前記予定位置に係止される時、前記上昇部が押圧されると、前記嵌着部材の前記接触部は前記アーム部材の前記係止部に係止されている状態から解除されることを特徴とする請求項１２に記載のスライドレールキット。
【請求項１７】
前記接触部は斜面を有し、
前記斜面は前記アーム部材に対応し、
前記第二レールが前記第一レールに対して開く方向の逆方向に移動する時、前記斜面は前記アーム部材に接触し、前記嵌着部材の前記上昇部が圧縮され、前記嵌着部材の前記接触部は前記アーム部材を越える状態となることを特徴とする請求項１６に記載のスライドレールキット。
【請求項１８】
前記第二レールは、開孔、および、前記開孔に隣り合う壁体をさらに有し、
前記嵌着部材は、前記上昇部に連結し前記第二レール方向に屈曲する支持部をさらに有し、
前記支持部は、制御翼を具え、
前記制御翼は前記開孔を通過して壁体に係止されていることを特徴とする請求項１６に記載のスライドレールキット。
【請求項１９】
前記アーム部材は貫通孔をさらに有し、
前記係止部は前記貫通孔に隣り合う壁面であり、
前記嵌着部材の前記接触部は突出体であり、
前記第二レールが前記第一レールに対して開く方向に引き出されて前記予定位置まで移動する時、前記嵌着部材の前記突出体は、前記アーム部材の前記貫通孔に位置し前記アーム部材の壁面に係止されており、
前記第二レールは前記予定位置に係止されていることを特徴とする請求項１２に記載のスライドレールキット。
【考案の詳細な説明】
【技術分野】
【０００１】
本考案は、スライドレールキットに関する。
【背景技術】
【０００２】
ラックマウント式サーバシステムは、シャーシ（ｃｈａｓｓｉｓ）に対応する両側に、スライドレールキットがそれぞれ取り付けられている。スライドレールキットに連結するブラケット装置によってスライドレールキットを対応するラック（ｒａｃｋ）に取り付け、これにより、シャーシがラック上に取り付けられている。
【０００３】
特許文献１は、ラックに用いられるブラケットアセンブリを開示している。実施形態の説明及びその関連図（図８参照）で理解される通り、ブラケットアセンブリをラック８４の支柱８６に取り付ける時、操作者はブラケット１２の端板１４に取り付けた取付部材３２をラック８４の貫通孔８８に通し、アーム部材４０の弾力足部４２で基体３０を押圧することで、アーム部材４０の連結アーム４４に弾力足部４２に対する弾力を保持させる。連結アーム４４の連結部４６は、弾力を維持してラック８４の前方に止まる働きをしているため、ブラケットアセンブリがラック８４から離脱することがない。
【先行技術文献】
【特許文献】
【０００４】
【特許文献１】米国特許第８、３７１、４５４Ｂ２号明細書
【考案の概要】
【考案が解決しようとする課題】
【０００５】
従来技術のスライドレールキットの二つの相対するスライドレール間には通常、嵌着機構が設けられている。スライドレールキットのレール部材が別のレール部材に対して縦方向に移動する時、レール部材は嵌着機構によって一定位置に定位され、嵌着機構は、レール部材を別のレール部材から離脱させることのない保護メカニズムとなる。しかしながら、嵌着機構の構造設計は通常、非常に繁雑であるため、保護メカニズムを解除する関連操作は、操作者にとり非常に不便なものである。
【０００６】
そこで、構造が簡単で、操作が便利に行える製品をいかに提供するかが、研究開発する上での重要な課題となっている。
【０００７】
本考案の目的は、レール部材を予定位置まで引き伸ばして移動させた時、レール部材の離脱を起こさないことを確実にするスライドレールキットを提供することにある。
【課題を解決するための手段】
【０００８】
本考案によるスライドレールキットは、少なくとも一つのブラケットアセンブリ（ｂｒａｃｋｅｔ  ａｓｓｅｍｂｌｙ）によってラック（ｒａｃｋ）に取り付けられる。ラックは穴を有する。ブラケットアセンブリは、側板、側板から屈曲する端板、側板に連結されるアーム部材、および、端板に連結され、ラックの穴に取り付けるための取付部材を含む。アーム部材は係止部を有する。スライドレールキットは、第一レール、第二レール、および、嵌着部材を含む。第一レールはブラケットアセンブリの側板に連結される。第二レールは、第一レールに縦方向に移動するように連結される。嵌着部材は、第二レールに連結され、嵌着部材は接触部を有する。第二レールは、第一レールに対して開く方向に引き出されて予定位置まで移動する時、アーム部材の係止部が嵌着部材の接触部に係止されるため、第二レールは予定位置に係止される。
【０００９】
ブラケットアセンブリのアーム部材は、第一アーム部、および、第一アーム部から屈曲する第二アーム部を含む。第一アーム部は係止部を含む。第二アーム部は、ラックの一定距離を超えて、ラックに向き合う状態となる。
【００１０】
ブラケットアセンブリの側板は基体をさらに有し、ブラケットアセンブリは連結部材をさらに含み、連結部材は、アーム部材を側板の基体に軸着する。
【００１１】
ブラケットアセンブリの係止部の位置は端板を一定距離超過する。
【００１２】
第一レールは端部を有し、ブラケットアセンブリの側板は第一レールの端部に連結する。
【００１３】
嵌着部材は第二レールに連結する基板、および、基板から屈曲する上昇部を有する。接触部は上昇部に位置し、第二レールが予定位置に係止された時、上昇部が押圧されると、嵌着部材の接触部はアーム部材の係止部に係止される状態から解除される。接触部は斜面を有し、斜面はアーム部材に対応する。第二レールが第一レールに対して開く方向の逆方向に移動する時、斜面はアーム部材に接触するため、嵌着部材の上昇部は圧縮される。これにより、嵌着部材の接触部はアーム部材を越える。第二レールは開孔、開孔に隣り合う壁体をさらに有する。嵌着部材は、上昇部に連結し第二レール方向に屈曲する支持部をさらに有し、支持部は制御翼を有し、制御翼は開孔を通過し、壁体に係止される。
【００１４】
アーム部材は貫通孔をさらに有し、係止部は貫通孔に隣り合う壁面であり、嵌着部材の接触部は突出体とする。第二レールが第一レールに対して開く方向に引き出されて予定位置まで移動した時、嵌着部材の突出体はアーム部材の貫通孔に位置し、アーム部材の壁面によって係止されるため、第二レールは予定位置に係止される。
【００１５】
本考案による別のスライドレールキットは、少なくとも一つのブラケットアセンブリ（ｂｒａｃｋｅｔ  ａｓｓｅｍｂｌｙ）によってラック（ｒａｃｋ）に取り付けられる。ラックは穴を有する。ブラケットアセンブリは、側板、側板から屈曲する端板、端板に連結され、ラックの穴に取り付けるための取付部材を含む。スライドレールキットは、第一レール、第二レール、アーム部材、および、嵌着部材を含む。第一レールはブラケットアセンブリの側板に連結され、第一レールは端部を有する。第二レールは、第一レールに縦方向に移動するように連結される。アーム部材は、第一レールの端部に隣り合う箇所に可動するように連結され、アーム部材は係止部を有する。嵌着部材は、第二レールに連結され、嵌着部材は接触部を有する。第二レールは、第一レールに対して開く方向に引き出されて予定位置まで移動する時、アーム部材の係止部が嵌着部材の接触部に係止されるため、第二レールは予定位置に係止される。
【００１６】
第一レールは基体をさらに有し、アーム部材は、連結部材によって、第一レールの基体に軸着される。
【００１７】
本考案によるもう一つのスライドレールキットは、ブラケットアセンブリに適用されるものである。ブラケットアセンブリは、側板、側板にほぼ垂直に連結される端板、側板に連結されるアーム部材を含み、アーム部材は係止部を有する。スライドレールキットは、第一レール、第二レール、および、嵌着部材を含む。第一レールはブラケットアセンブリの側板に連結される。第二レールは、第一レールに縦方向に移動するように連結される。嵌着部材は第二レールに連結され、嵌着部材は接触部を有する。第二レールは、第一レールに対して開く方向に引き出されて予定位置まで移動する時、アーム部材の係止部が嵌着部材の接触部に係止されるため、第二レールは予定位置に係止される。
【００１８】
ブラケットアセンブリの側板は基体をさらに有し、ブラケットアセンブリは連結部材をさらに有し、連結部材はアーム部材を側板の基体に軸着する。
【００１９】
ラケットアセンブリの係止部の位置は端板の一定距離を超える。
【００２０】
第一レールは端部を有し、ブラケットアセンブリの側板は第一レールの端部に連結される。
【００２１】
嵌着部材は第二レールに連結される基板と、基板から屈曲する上昇部をさらに有する。接触部は上昇部に位置し、第二レールが予定位置に係止される時、上昇部が押圧されると、嵌着部材の接触部はアーム部材の係止部に係止される状態から解除される。接触部は斜面を有し、斜面はアーム部材に対応し、第二レールが第一レールに対して開く方向の逆方向に移動する時、斜面はアーム部材に接触し、嵌着部材の上昇部が圧縮され、これにより、嵌着部材の接触部はアーム部材を越える。第二レールは開孔と、開孔に隣り合う壁体をさらに有する。嵌着部材は上昇部に連結し第二レール方向に屈曲する支持部をさらに有し、支持部は制御翼を具え、制御翼は開孔を通過して壁体に係止される。
【００２２】
アーム部材は貫通孔をさらに有し、係止部は貫通孔に隣り合う壁面であり、嵌着部材の接触部は突出体である。第二レールが第一レールに対して開く方向に引き出されて予定位置まで移動する時、嵌着部材の突出体は、アーム部材の貫通孔に位置しアーム部材の壁面に係止され、これにより、第二レールは予定位置に係止される。
【００２３】
本考案の実施形態の特徴は、スライドレールキットの第二レールが第一レールに対して開く方向に引き出され予定位置まで移動する時、アーム部材の係止部によって嵌着部材の接触部が止められ、第二レールは予定位置に係止されて第一レールから離脱しない状態となる。
【図面の簡単な説明】
【００２４】
【図１】本考案の第一実施形態によるスライドレールキットが少なくとも一つのブラケットアセンブリによってラックに取り付けられた状態を示す斜視図である。
【図２】ブラケットアセンブリによってラックに取り付けられる本考案の第一実施形態によるスライドレールキットの分解斜視図である。
【図３】図１のスライドレールキットの第二レール及び第一レールの分解斜視図である。
【図４】図３の第二レール及び嵌着部材の分解斜視図である。
【図５Ａ】本考案の第一実施形態のスライドレールキットが少なくとも一つのブラケットアセンブリによってラックに取り付けられた後、第二レールがまだ予定位置まで移動していない状態を示す模式図である。
【図５Ｂ】図５Ａの第二レールが引き出されて予定位置まで移動した状態を示す模式図である。
【図６Ａ】本考案の第一実施形態のスライドレールキットの第二レールが第一レールに対して予定位置に係止された後、嵌着部材の上昇部を押圧すると、嵌着部材の接触部はアーム部材の係止部によって係止状態が解除されたことを示す模式図である。
【図６Ｂ】本考案の第一実施形態による嵌着部材の接触部がアーム部材の係止部によって係止状態が解除された後、操作者が第二レールをさらにＤ方向に引き出し移動させることを示す模式図である。
【図７】本考案の第一実施形態による第二レールを閉じる方向に移動させることを示す模式図である。
【図８】本考案の第二実施形態によるスライドレールキットがアーム部材を含むことを示す斜視図である。
【考案を実施するための形態】
【００２５】
（第一実施形態）
本考案の構造、特徴、効果、及び目的について更に詳細にご理解して戴くために、図面を組み合わせ、本考案に関する実施形態を以下に詳細説明する。
【００２６】
図１は、本考案の第一実施形態によるスライドレールキット１０を少なくとも一つのブラケットアセンブリ（ｂｒａｃｋｅｔ  ａｓｓｅｍｂｌｙ）によってラック（ｒａｃｋ）に取り付けた状態を示す。スライドレールキット１０の二つの相対する端部はそれぞれ、第一ブラケットアセンブリ１２と第二ブラケットアセンブリ１４により、ラックに対応する第一支持柱１６と第二支持柱１８に取り付けられる。第一支持柱１６と第二支持柱１８は何れも複数の穴２０を有し、複数の穴２０は方形の穴、丸穴、或いはその他形状の穴とし、本実施形態では方形の穴を例とするが、この限りではない。第二ブラケットアセンブリ１４と第二支持柱１８の組立配置型態は、ほぼ第一ブラケットアセンブリ１２と第一支持柱１６の組立配置型態と同様とするため、下文においては、第一ブラケットアセンブリ１２と第一支持柱１６の組立配置型態のみを説明する。
【００２７】
図２及び図３に示す通り、第一ブラケットアセンブリ１２は、側板２２、端板２４、アーム部材２６、および、取付部材２８を含む。端板２４は側板２２から屈曲し、端板２４はほぼ垂直に側板２２に連結される。取付部材２８は端板２４に連結され、取付部材２８は対応する第一支持柱１６の穴２０に取り付けられる。アーム部材２６は側板２２に連結され（例えば可動するように連結）、アーム部材２６は係止部３０を有する。
【００２８】
第一実施形態において、第一ブラケットアセンブリ１２の側板２２は、側板２２に横方向に連結される基体３２と、連結部材３４をさらに有する。アーム部材２６を側板２２の基体３２に軸着することで、アーム部材２６は操作されて側板２２に対して軸回転する。
【００２９】
詳細すると、アーム部材２６は、第一アーム部３６、および、第二アーム部３８を含む。第二アーム部３８は、第一アーム部３６から屈曲し、第二アーム部３８はほぼ第一アーム部３６と垂直状態となる。第一アーム部３６は係止部３０を含む。第一アーム部３６は貫通孔４０をさらに有し、係止部３０は貫通孔４０に隣り合う壁面であり、アーム部材２６を対応する側板２２の基体３２に軸着する時、係止部３０の位置は端板２４を一定距離超過する。また、アーム部材２６は弾性部４２を有し（弾性足部等）、弾性部４２が対応する第一ブラケットアセンブリ１２の一部を押圧することで、アーム部材２６に弾力を持たせる。弾性部４２は、アーム部材２６の第一アーム部３６から延長しており、アーム部材２６の第二アーム部３８は弾力の働きによって、対応する端板２４に向き合う状態が保持され、第一ブラケットアセンブリ１２が第一支持柱１６に取り付けられた後、アーム部材２６の第二アーム部３８は第一支持柱１６の前方位置に配置される（図３参照）。
【００３０】
スライドレールキット１０は第一レール４４、第二レール４６、および、嵌着部材４８を含む。
【００３１】
第一レール４４は第一ブラケットアセンブリ１２の側板２２に連結され、第一ブラケットアセンブリ１２の側板２２は第一レール４４の端部（例えば前端位置）に連結される。第一レール４４は上壁５０、下壁５２、および、上壁５０と下壁５２間に延長される側壁５４と含む。上壁５０、下壁５２、および、側壁５４とは共同で縦方向通路５６を形成している。
【００３２】
第二レール４６は対応する第一レール４４に縦方向に移動するように連結される。第二レール４６は、対応する第一レール４４の縦方向通路５６で縦方向に移動する縦方向延伸本体５８を含む。
【００３３】
図３及び図４に示すように、第二レール４６の縦方向延伸本体５８は開孔６０、開孔６０に隣り合う壁体６２、別の開孔６４を有する。嵌着部材４８は、第二レール４６の縦方向延伸本体５８に連結され、位置が対応する第一側面７３ａ、および、第二側面７３ｂを有し、第二側面７３ｂは第二レール４６の縦方向延伸本体５８に向き合う。嵌着部材４８は第一側面７３ａに位置する接触部６６を有し、接触部６６はアーム部材２６の係止部３０に対応する。接触部６６は突出体に制限されず、接触部６６は斜面６７を有する。嵌着部材４８は基板６８、上昇部７０、および、支持部７２をさらに有する。
【００３４】
基板６８は第二レール４６の縦方向延伸本体５８に連結する。上昇部７０は基板６８から屈曲し、弾性力を備える。接触部６６は上昇部７０に位置する。支持部７２は上昇部７０に連結され、第二レール４６の縦方向延伸本体５８に向かって屈曲し、支持部７２は少なくとも一つの制御翼７４を有する。少なくとも一つの制御翼７４は第二レール４６の開孔６０を通過し、壁体６２に係止されるため、上昇部７０を作動位置内に弾力的に限定することができる。
【００３５】
嵌着部材４８の上昇部７０は第二レール４６の縦方向延伸本体５８の別の開孔６４に対応しており、操作者に自由な操作を提供する。例えば、操作者が働きかけて、第二レール４６の一面の別の開孔６４が嵌着部材４８の第二側面７３ｂに接触すると（図５Ａ参照）、基板６８からの上昇部７０の屈曲度を調整することができ、上昇部７０は作動位置に保持される。だが、別の開孔６４の効果はこれに限定されないものとする。
【００３６】
図５Ａ及び図５Ｂは、スライドレールキット１０はブラケットアセンブリ（例えば第一ブラケットアセンブリ１２と第二ブラケットアセンブリ１４。図５Ａ及び図５Ｂにはただ第一ブラケットアセンブリ１２を表示）の取付部材２８を第一支持柱１６の穴２０に取り付けた後、操作者がアーム部材２６を操作すると、アーム部材２６の第二アーム部３８は弾性部４２の弾力により、対応する第一支持柱１６の前方位置（即ち、アーム部材２６の第二アーム部３８がラックの第一支持柱１６を一定距離超えて第一支持柱１６に向き合う位置）に係止される。アーム部材２６の第二アーム部３８の係止によって、スライドレールキット１０が第一支持柱１６から離脱する事故を防ぐ。
【００３７】
スライドレールキット１０の第二レール４６は、ある位置（図５Ａ）から第一レール４４に対して方向Ｄに操作者によって引き出されて、予定位置まで移動する（図５Ｂ参照）。この時、嵌着部材４８の接触部６６（例えば突出体）は、対応するアーム部材２６の貫通孔４０に位置し、アーム部材２６の係止部３０（例えば壁面）に動作を遮られるため、第一レール４４に対応する第二レール４６は予定位置に係止される。これにより、第二レール４６が第一レール４４から離脱する状況を確実に抑制できる。この特徴に基づき、第二レール４６をシャーシ（例えばサーバのシャーシ）に取り付ける時、第二レール４６が第一レール４４から離脱することでシャーシを傷つける状況の発生を確実に抑制できる。
【００３８】
本実施形態において、アーム部材２６の係止部３０の位置が端板２４を一定距離超えることにより、嵌着部材４８の接触部６６がアーム部材２６の貫通孔４０に入る時、端板２４の壁面によって係止されることがなく、アーム部材２６の係止部３０は確実に嵌着部材４８の接触部６６を止めることができる。また、本実施形態から理解されるとおり、嵌着部材４８の接触部６６は突出体であり、アーム部材２６の係止部３０は壁面であるため、嵌着部材４８の突出体を係止することができる。しかしながら、別の未図示の実施形態では、嵌着部材４８の接触部６６を壁面とし、アーム部材２６の係止部３０を突出体として、嵌着部材４８の壁面を係止することもでき、本実施形態に開示した内容に限定されないものとする。
【００３９】
ここで説明すべき点であるが、操作者は、第二レール４６を予定位置（図５Ｂの状態）から閉じる方向に（即ち、方向Ｄの逆方向）直接押し入れることもでき、これによって、第二レール４６は予定位置から第一レール４４に対して収納方向に閉じることができる（図５Ａの状態を参照）。
【００４０】
図６Ａ及び図６Ｂに示すとおり、第二レール４６が予定位置に係止された後、操作者が直接、力Ｆを加えて嵌着部材４８の上昇部７０を押すと、嵌着部材４８の接触部６６は離脱し、アーム部材２６の係止部３０によって動作を遮られることがなくなる（図６Ａ参照）。この様な設計は、操作者が操作する上での便利性を高めるものである。この状態のもとで、操作者は引き続き第二レール４６を方向Ｄに引き出して移動させると（図６Ｂ参照）、第二レール４６を第一レール４４から取り外すことができる。この特徴により、操作者はスライドレールキットに対するメンテナンス作業を実施することができる。または、第二レール４６がシャーシに取り付けられている時、操作者はシャーシの交換やメンテナンス作業をさらに実施できる。
【００４１】
第二レール４６が再び第一レール４４に取り付け戻された時（図６Ｂ参照）、操作者は、第二レール４６を閉じる方向に（即ち方向Ｄの逆方向）直接押し入れる。閉じる方向に移動させる過程において、嵌着部材４８の斜面６７は、アーム部材２６の第二アーム部３８を押圧するため（図７参照）、嵌着部材４８の上昇部７０は自然に圧縮され（図６Ａ参照）、これにより、嵌着部材４８の接触部６６はアーム部材２６の第二アーム部３８を越え、第二レール４６は第一レール４４に対して閉じた状態となる。
【００４２】
（第二実施形態）
図８は本考案の第二実施形態によるスライドレールキットである。本実施形態と上述した第一実施形態の差異は、アーム部材をスライドレールキットの第一レールに設置することにある。
【００４３】
具体的に説明すると、スライドレールキットはアーム部材２００を含む。アーム部材２００はスライドレールキットの第一レール２０２の端部（例えば前端位置）に隣り合う箇所に可動するように連結され、アーム部材２００は係止部２０４を有する。第一レール２０２に設ける基体２０６は、第一レール２０２の端部に隣り合う箇所に設置され、アーム部材２００は、連結部材２０８によって、対応する第一レール２０２の基体２０６に軸着される。この構造配置により、同様にスライドレールキットをブラケットアセンブリ２１０に適用して、対応するラックの支持柱に取り付けた後、第二レール（未図示）を嵌着部材の接触部により、対応するアーム部材２００の係止部２０４の予定位置に嵌着することで、第二レールは第一レール２０２から離脱することを確実に防ぐ。目的を実現するための関連操作と動作原理は上述の実施形態を参考とし、ここでは説明を省く。
【００４４】
本考案は前述の実施形態に開示した通りであるが、これによって制約を受けないものとする。よって、本考案が保護される範囲は、実用新案登録請求の範囲を基準とする。
【符号の説明】
【００４５】
１０  スライドレールキット
１２  第一ブラケットアセンブリ
１４  第二ブラケットアセンブリ
１６  第一支持柱
１８  第二支持柱
２０  穴
２２  側板
２４  端板、
２６、２００  アーム部材
２８  取付部材
３０、２０４  係止部
３２、２０６  基体
３４、２０８  連結部材
３６  第一アーム部
３８  第二アーム部
４０  貫通孔
４２  弾性部
４４、２０２  第一レール
４６  第二レール
４８  嵌着部材
５０  上壁
５２  下壁
５４  側壁
５６  縦方向通路
５８  縦方向延伸本体
６０  開孔
６２  壁体
６４  別の開孔
６６  接触部
６７  斜面
６８  基板
７０  上昇部
７２  支持部
７３ａ  第一側面
７３ｂ  第二側面
７４  制御翼
２１０  ブラケットアセンブリ
Ｄ  方向
Ｆ  力 
【図１】
0003193841.tif 000003
【図２】
0003193841.tif 000004
【図３】
0003193841.tif 000005
【図４】
0003193841.tif 000006
【図５Ａ】
0003193841.tif 000007
【図５Ｂ】
0003193841.tif 000008
【図６Ａ】
0003193841.tif 000009
【図６Ｂ】
0003193841.tif 000010
【図７】
0003193841.tif 000011
【図８】
0003193841.tif 000012